(57)【要約】      （修正有）【課題】絵など収納し壁に掛けて提示することに用いられるものであり、簡単にかつ強固に連結することが可能な連結ホルダを提供する。【解決手段】樹脂性の本体シート２と、この本体シートに設けられた収納用のポケット３と、このポケットと離間して上記本体シートの上端或いは下端に設けられたフック部４と、他の連結ホルダと連結する際に他の連結ホルダのフック部に対向する位置に設けられた四角形状の係止用開口５を有し、この係止用開口の一方の辺の幅は、フック部の突出方向の幅の３分の１以上とし、他方の辺の幅は、フック部の他の幅と略同一とすることを特徴するものである。【選択図】図１
0003188733.tif 000002
【実用新案登録請求の範囲】
【請求項１】
樹脂性の本体シートと、この本体シートに設けられた収納用のポケットと、このポケットと離間して上記本体シートの上端或いは下端に設けられたフック部と、他の連結ホルダと連結する際に他の連結ホルダのフック部に対向する位置に設けられた四角形状の係止用開口を有し、この係止用開口の一方の辺の幅は、前記フック部の突出方向の幅の３分の１以上とし、他方の辺の幅は、前記フック部の他の幅と略同一とすることを特徴とする連結ホルダ。
【請求項２】
前記開口の一方の辺の幅は、前記フック部の突出方向の幅の２分の１以上とすることを特徴とする請求項１項記載の連結ホルダ。
【請求項３】
前記フック部は半円形状とし、左右に突出するフック部を１対として、これを水平方向に対称に２つ設けたことを特徴とする請求項２項記載の連結ホルダ。
【考案の詳細な説明】
【技術分野】
【０００１】
本考案は、紙書類などを収納するホルダに関するものであり、特に複数のホルダを、連結して壁に掛けて使用することが可能な連結ホルダに関するものである。
【背景技術】
【０００２】
学校において、生徒の図画等の作品を壁に提示するために、樹脂フィルムからなる連結ホルダが用いられることがある。
このような連結ホルダは、作品が見えるように透明な材質のフィルムが用いられる。また、学校のクラスの生徒全員の作品を提示する必要があるような場合等には、多数のホルダを連結して用いることがあるため、荷重に耐える強度や剛性も必要となる。
【０００３】
更に、例えば小学校低学年の生徒用に用いる場合は、子供が簡単に利用できる必要があると共に、子供の乱暴な扱いに対しても、連結が外れないことも必要となる。
【０００４】
【特許文献１】実用新案登録第３０９４４５９号
【特許文献２】特開２０１２−５６２００号
【考案の開示】
【考案が解決しようとする課題】
【０００５】
上記の特許文献１の連結ホルダは、ホルダ上端に横方向にＬ字形状のフックを設け、ホルダの下端には、このフックを係止するスリットが設けられている。
また、上記特許文献２の連結ホルダは、ホルダ下端に上に凸のフック部を設け、ホルダの上端には、このフック部を係止する下に凸のスリットが設けられている。
これらの従来例は、剛性の高い樹脂フィルムのフックを、細いスリットに挿入して係止しなければならず、特に子供が操作するには困難を伴う。
また、２つのフックと２つのスリットのみで連結しているため、簡単に連結が外れてしまう。
【課題を解決するための手段】
【０００６】
本考案は、請求項１に記載するように、樹脂性の本体シートと、この本体シートに設けられた収納用のポケットと、このポケットと離間して上記本体シートの上端或いは下端に設けられたフック部と、他の連結ホルダと連結する際に他の連結ホルダのフック部に対向する位置に設けられた四角形状の係止用開口を有し、この係止用開口の一方の辺の幅は、前記フック部の突出方向の幅の３分の１以上とし、他方の辺の幅は、前記フック部の他の幅と略同一とすることを特徴としている。
【０００７】
また請求項３に記載するように、前記フック部は左右に突出する１対の円弧形状の突起とし、これを水平方向に２つ設けたことを特徴としている。
【考案の効果】
【０００８】
本考案によれば、フック部を係止する開口の横幅を、このフック部の突出方向の幅の３分の１以上とすることによって、子供の指でもこのフック部を係止用開口に簡単に押し込むことが可能となり、ホルダの連結が容易となる。
特に、フック部を左右に突出する一対の突起とすることにより、このフック部を２本の指でつまむように押し曲げて、簡単に係止用開口に挿入することが可能となる。
また、このように左右２方向に係止することで、強固に連結することが可能となる。
【考案を実施するための最良の形態】
【０００９】
以下、本発明を実施するための最良の形態について、図面を参照して詳細に説明する。
【実施例】
【００１０】
以下、図に沿って本発明の一実施例を説明する。
図１は本発明の一実施例の連結ホルダの正面図である。
この連結ホルダ１は、透明な樹脂で構成される本体シート２、この本体シート２と同様の透明な樹脂で構成された収納ポケット３、このポケット３に離間して、本体シート２の下端に設けられたフック部４、ポケット３に離間して、本体シート２の上端に設けられた係止用開口５、この連結ホルダ１を壁にピン等で止めるための壁掛け用開口６からなる。
尚、収納ポケット３の開放端は、図示しない収納物を収納しやすくするために、下に凸の円形形状とされている。
【００１１】
フック部４は、半円形状にカッティングされた形状を有し、この半円形状のフック部４は、右方向に突出したフック部４と左方向に突出したフック部４が隣接して形成されており、これを一対として、水平方向に対象に２組設けられている。
また夫々のフック部４の上下の端部は、亀裂防止のために円形状にくり貫かれている。
【００１２】
係止用開口５は、連結する他の連結ホルダ１のフック部４を係止するために、フック部４に対向して４つ設けられている。
この係止用開口５は、単なるスリットとは異なり、フック部４の突出方向の幅の３分の１以上の横幅を有しており、子供でも容易にフック部４をこの係止用開口５に挿入することが可能となっている。
小学生の使用を考慮すると、この係止用開口５は、好ましくはフック部４の突出方向の幅の２分の１以上とするのがよい。
尚、前述のフック部４が半円形状に形成されていることによっても、フック部４が係止用開口５に引っかかるようなことがなく、係止用開口５に容易に挿入可能となっている。
また、安全性を考慮して、このフック部４の半円形状に限らず、連結ホルダ１の全ての角は、曲線で構成されている。
【００１３】
続いて図２に、２つの連結ホルダ１を連結した状態を示す。
４つのフック部４が、４つの係止用開口５に係合することで、強固に連結されるため、図面から見た上下及び左右の力が加わっても、連結が外れることはない。
連結を外したい場合は、図面から見た奥行き方向に力を加えて、これらの連結ホルダ１を引き離すことで、簡単に連結を外すことが可能である。
【００１４】
続いて図３に連結ホルダ１を連結する操作方法を示す。
右方向と左方向に向いた一対のフック部４を、親指と人差し指で押し込むようにしてつまむと、一対のフック部４は後方に撓む。
連結したい他の連結ホルダの係止用開口に挿入できるまで、この一対のフック部４を撓ませて、２つの係止用開口に挿入する。
図示しない他の一対のフック部も、同様の操作によって、他の２つの係止用開口に挿入する。
【００１５】
図４に第２の実施例の連結ホルダ１を示す。
この実施例では、横幅の大きい絵等を収納して提示する連結ホルダ１を示している。
フック部４と係止用開口５の大きさ、配置・構成を、上述の第１の実施例の連結ホルダ１と同じ大きさ、配置・構成とすることで、第１の実施例の連結ホルダ１と連結して使用することが可能となる。
例えば、学校で生徒が描いた縦長の絵と横長の絵を連結して提示することが可能となる。
【００１６】
尚、第１の実施例の連結ホルダ１は、壁掛け用の開口を有しているが、第２の実施例の連結ホルダ１は、壁掛け用開口を有していない。
しかしながら、連結したホルダのうち、最上段の連結ホルダ１の係止用開口５を、壁掛け用開口として用いることにより、壁に固定することが可能である。
【００１７】
また、これらの第１及び第２の実施例では、フック部４を本体シート２の下端側に設けているが、上端側に設けてもよい。この場合は、係止用開口は、本体シート２の下端側に設けることになる。
【００１８】
図５に第３の実施例の連結ホルダ１を示す。
この実施例では、フック部４は、本体シート２の下端側に、水平方向に対象に２つ設けられている。
また、係止用開口５は、本体シート２の上端側に、水平方向に対象に２つ設けられている。
この第３の実施例では、上の第１及び第２の実施例の連結ホルダに比べて、連結の強度は劣ることになる。
しかしながら、フック部４と係止用開口５の大きさ、配置・構成を、上述の第１及び第２の実施例の連結ホルダ１の左右両端に設けられたフック部４と係止用開口５と同じ大きさ、配置・構成とすることで、第１及び第２の実施例の連結ホルダ１と連結して使用することが可能となる。
【００１９】
本発明は、上記実施例に限定されるものではなく、例えば本体シートや収納ポケットの構造、形状は種々変更可能である。
また、フック部の位置や形状も上述の実施例に限定されるものではない。
更に、本体シートを不透明な樹脂剤で形成してもよい。
【産業上の利用可能性】
【００２０】
本発明は、透明な収納ポケットに、絵や書面等を収納し、連結して壁などに提示する連結ホルダにおいて、簡単に連結することが可能であり、かつ強固に連結可能な、新規な構造の連結ホルダを提供するものである。
【図面の簡単な説明】
【００２１】
【図１】図１は、本発明の第１の実施例の連結ホルダの構造を示す正面図である。
【図２】図２は、本発明の第１の実施例の連結ホルダを連結した状態を示す正面図である。
【図３】図３は、本発明の実施例の連結ホルダを連結する際の操作方法を示す斜視図である。
【図４】図４は、本発明の第２の実施例の連結ホルダの構造を示す正面図である。
【図５】図５は、本発明の第３の実施例の連結ホルダの構造を示す正面図である。
【符号の説明】
【００２２】
１：連結ホルダ
２：本体シート
３：収納ポケット
４：フック部
５：係止用開口
【図１】
0003188733.tif 000003
【図２】
0003188733.tif 000004
【図３】
0003188733.tif 000005
【図４】
0003188733.tif 000006
【図５】
0003188733.tif 000007